(57)【要約】ヘッドバンドと、ヘッドバンドの両端に設けられた一対のハウジング支持部と、一対のハウジング支持部をそれぞれヘッドバンドに対して回動可能に接続する一対の回転軸と、回動によりハウジング支持部が折り畳まれた状態において、ハウジング支持部が開いた状態におけるヘッドバンドおよびハウジング支持部からなる弧の内側の領域内に位置し、かつ、交差することなく横並びになるように一対のハウジング支持部のそれぞれに設けられた一対のハウジングと、一対のハウジングにそれぞれ設けられた一対のイヤパッドを備えるヘッドホンである。【選択図】図２
2014207979.tif 000002
【特許請求の範囲】
【請求項１】
ヘッドバンドと、
該ヘッドバンドの両端に設けられた一対のハウジング支持部と、
該一対のハウジング支持部をそれぞれ前記ヘッドバンドに対して回動可能に接続する一対の回転軸と、
回動により前記ハウジング支持部が折り畳まれた状態において、前記ハウジング支持部が開いた状態における前記ヘッドバンドおよび前記ハウジング支持部からなる弧の内側の領域内に位置し、かつ、交差することなく横並びになるように前記一対のハウジング支持部のそれぞれに設けられた一対のハウジングと、
該一対のハウジングにそれぞれ設けられた一対のイヤパッドと
を備えるヘッドホン。
【請求項２】
前記回転軸が斜めに設けられていることにより、一回の回動により前記ハウジング支持部が折り畳まれ、さらに折り畳み前後で前記イヤパッドの向きが変化する
請求項１に記載のヘッドホン。
【請求項３】
前記ハウジング支持部が折り畳まれた状態において、前記一対のイヤパッドが略同一の方向を向いている
請求項１に記載のヘッドホン。
【請求項４】
前記ハウジング支持部は、前記回転軸を介して前記ヘッドバンドに接続されたアームと、該アームに対してスライド可能に設けられ、前記アームに沿ってスライドすることにより前記ハウジングの位置を調整可能なスライダとからなる
請求項１に記載のヘッドホン。
【請求項５】
前記スライダのスライド可能範囲は、ユーザによるヘッドホン使用時における前記ハウジングの位置の変更範囲より広い範囲である
請求項４に記載のヘッドホン。
【請求項６】
前記ハウジング支持部は、ヘッドホン使用時における前記ハウジングの位置の変更範囲において前記ハウジングの位置の固定する第１の位置固定機構を備える
請求項５に記載のヘッドホン。
【請求項７】
前記第１の位置固定機構は、前記ハウジングを複数の位置に固定可能である
請求項６に記載のヘッドホン。
【請求項８】
前記ハウジング支持部は、ヘッドホン使用時における前記ハウジングの位置の変更範囲外において前記ハウジングの位置を固定する第２の位置固定機構を備える
請求項５に記載のヘッドホン。
【請求項９】
前記スライダは、前記回転軸より下に設けられている
請求項４に記載のヘッドホン。
【請求項１０】
前記一対の回転軸は、左右対象の位置に設けられている
請求項１に記載のヘッドホン。
【請求項１１】
前記一対の回転軸は、左右非対称の位置に設けられている
請求項１に記載のヘッドホン。
【請求項１２】
前記ハウジングは、ユーザの側頭部の形状に追従して動作可能である
請求項１に記載のヘッドホン。
【請求項１３】
前記一対のハウジングには、それぞれコードが接続されており、
該コードは、前記一対のハウジング支持部が折り畳まれた状態において、前記ハウジングと前記コードの接続箇所が互いに接触しない位置にそれぞれ接続されている
請求項１に記載のヘッドホン。
【請求項１４】
前記アームは、折り畳まれた状態において、ユーザのヘッドホン使用時においてハウジングが存在している位置で重なる
請求項４に記載のヘッドホン。
【請求項１５】
前記ハウジング支持部は、前記ハウジングを軸支するハンガである
請求項１に記載のヘッドホン。
【請求項１６】
前記ヘッドバンドは、前記ハンガを上下動させるスライダを備え、
該スライダは前記回転軸より上に設けられている
請求項１５に記載のヘッドホン。
【請求項１７】
前記ハウジングは、前記ハウジング支持部が折り畳まれた状態において、側面視において前記ヘッドバンドに略平行な平面に対して±４５°以内の状態となる
請求項１に記載のヘッドホン。
【請求項１８】
前記回転軸は、
正面視において、前記ヘッドバンドの弧を二等分する方向をＹ軸方向とし、該Ｙ軸方向に直交する方向をＸ軸方向としたとき、前記Ｘ軸に対して４°〜２２°の範囲内の角度を有し、
また、側面視において、前記ヘッドバンドの幅方向に略平行な方向をＺ軸方向としたとき、前記Ｚ軸に対して９°〜２９°の範囲内の角度を有し、
さらに、上面視において、前記Ｘ軸に対して２７°〜３９°の範囲内の角度を有するように設けられている
請求項２に記載のヘッドホン。
【請求項１９】
前記回転軸は、
正面視において前記Ｘ軸に対して１７°の角度を有し、
また、側面視において前記Ｚ軸に対して２４°の角度を有し、
さらに、上面視において前記Ｘ軸に対して３４°の角度を有するように設けられている
請求項１８に記載のヘッドホン。
【請求項２０】
前記回転軸は、
正面視において前記Ｘ軸に対して９°の角度を有し、
また、側面視において前記Ｚ軸に対して１４°の角度を有し、
さらに、上面視において前記Ｘ軸に対して３２°の角度を有するように設けられている
請求項１８に記載のヘッドホン。
【発明の詳細な説明】
【技術分野】
【０００１】
本技術は、ヘッドホンに関する。
【背景技術】
【０００２】
従来から、音声再生装置から出力される音声を聴くためにヘッドホンが使用されている。このヘッドホンは一般的に、ユーザの頭部に接するヘッドバンドと、ヘッドバンドの左右両端に設けられ、スピーカなどからなる音声出力手段を収容したハウジングとを備える。ヘッドホンには、公知となっている多数の形態、折り畳み方式が存在する（特許文献１、特許文献２）。折り畳み可能な公知のヘッドホンには、Ｌ側Ｒ側のそれぞれに２つまたは３つ、もしくはそれ以上の折り畳み用の回転軸を有しているものが多い。
【先行技術文献】
【特許文献】
【０００３】
【特許文献１】特開２００４−２３６３２４号公報
【特許文献２】特表２００５−５２７１３４号公報
【発明の概要】
【発明が解決しようとする課題】
【０００４】
しかし、折り畳み用の回転軸の数が多いと、ユーザによる折り畳み操作が煩雑になってしまうという問題がある。【０００５】
本技術はこのような問題点に鑑みなされたものであり、容易に折り畳むことができるヘッドホンを提供することを目的とする。
【課題を解決するための手段】
【０００６】
上述した課題を解決するための本技術は、ヘッドバンドと、ヘッドバンドの両端に設けられた一対のハウジング支持部と、一対のハウジング支持部をそれぞれヘッドバンドに対して回動可能に接続する一対の回転軸と、回動によりハウジング支持部が折り畳まれた状態において、ハウジング支持部が開いた状態におけるヘッドバンドおよびハウジング支持部からなる弧の内側の領域内に位置し、かつ、交差することなく横並びになるように一対のハウジング支持部のそれぞれに設けられた一対のハウジングと、一対のハウジングにそれぞれ設けられた一対のイヤパッドを備えるヘッドホンである。
【発明の効果】
【０００７】
本技術によれば、ヘッドホンを容易に折り畳むことができる。
【図面の簡単な説明】
【０００８】
【図１】図１Ａは、本技術の第１の実施の形態におけるヘッドホンの使用状態を示す図であり、図１Ｂは、スライダがスライドしている状態を示す図である。
【図２】図２Ａは、ヘッドホンが折り畳まれている状態を示す図であり、図２Ｂはヘッドホンの折り畳み状態を示す図である。
【図３】図３は、ヘッドバンドとアームの接続箇所の部分拡大図である。
【図４】図４Ａ乃至図４Ｅは、ヘッドホンの折り畳み位置の決定方法を説明するための図である。
【図５】図５Ａは、回転軸のＸＹ平面における角度を示す図であり、図５Ｂは、回転軸のＹＺ平面における角度を示す図であり、図５Ｃは、回転軸のＸＺ平面における角度を示す図である。
【図６】図６Ａは、スライダ、ハウジングおよびイヤパッドの上面図であり、図６Ｂはスライダ、ハウジングおよびイヤパッドの側面図であり、図６Ｃは、アームの内側正面図であり、図６Ｄは、アームの側面視断面図であり、図６Ｅは、アームにスライダを接続した状態におけるアームの側面視断面図である。
【図７】図７Ａは、ハウジングの平面図であり、図７Ｂは、スライダの側面図と、ハウジングおよびイヤパッドの断面図であり、図７Ｃは、スライダとハウジングを接続した状態の側面図であり、図７Ｄは、スライダとハウジングを接続し、ハウジングが動いている状態を示す側面図である。
【図８】図８Ａは、スライダの下面図と、ハウジングおよびイヤパッドの下面視断面図であり、図８Ｂは、スライダとハウジングを接続した状態におけるスライダの下面図と、ハウジングおよびイヤパッドの下面視断面図であり、図８Ｃは、スライダとハウジングを接続し、ハウジングが動いている状態を示す下面図である。
【図９】図９Ａは、ヘッドバンドとアームによって形成される領域を示す図であり、図９Ｂは、ヘッドホンの折り畳み状態において、ヘッドバンドとアームによって形成される領域内にハウジングが位置している状態を示す図である。
【図１０】図１０は、ヘッドホンの側面視における、ハウジングの状態を示す図である。
【図１１】図１１は、本技術の第２の実施の形態に係るヘッドホンの使用状態を示す図である。
【図１２】図１２Ａは、ヘッドホンが折り畳まれている状態を示す図であり、図１２Ｂはヘッドホンの折り畳み状態を示す図である。
【図１３】図１３Ａは、回転軸のＸＹ平面における角度を示す図であり、図１３Ｂは、回転軸のＹＺ平面における角度を示す図であり、図１３Ｃは、回転軸のＸＺ平面における角度を示す図である。
【図１４】図１４Ａおよび図１４Ｂは、ヘッドバンドとハンガの接続状態を示す側面視部分拡大図である。
【図１５】図１５は、ヘッドバンドとハンガの接続状態を示す図である。
【図１６】図１６は、ヘッドバンドとハンガの接続状態を示す部分拡大図である。
【図１７】図１７Ａ乃至図１７Ｃは、ヘッドバンドとハンガが接続された状態における、折り畳みの過程を示す部分拡大図である。
【図１８】図１８は、ヘッドバンドとハンガの接続状態を示す図である。
【図１９】図１９Ａは、回転軸がハンガの軸挿通穴に挿通している状態を示す図であり、図１９Ｂは、回転軸がハンガの軸挿通穴に挿通している状態の断面図である。
【図２０】図２０Ａは、ヘッドホン内に形成される領域を示す図であり、図２０Ｂは、ヘッドホンの折り畳み状態において、領域内にハウジングが位置している状態を示す図である。
【図２１】図２１Ａは、本技術の変形例に係るヘッドホンの使用状態を示す図であり、図２１Ｂは、変形例に係るヘッドホンの折り畳み状態を示す図である。
【発明を実施するための形態】
【０００９】
以下、本技術の実施の形態について図面を参照しながら説明する。なお、説明は以下の順序で行う。
＜１．第１の実施の形態＞
［１−１．ヘッドホンの構成］
＜２．第２の実施の形態＞
［２−１．ヘッドホンの構成］
＜３．変形例＞
【００１０】
＜１．第１の実施の形態＞
［１−１．ヘッドホンの構成］
図１および図２は、本技術に係るヘッドホン１００の全体構成を示す図である。ヘッドホン１００は、ヘッドバンド１１０、回転軸１２０、アーム１３０、スライダ１４０、ハウジング１５０、イヤパッド１６０およびコード１７０から構成されている。
【００１１】
ヘッドバンド１１０はユーザの頭部に沿うように湾曲状に形成されており、装着状態においてユーザの頭頂部に接することによりヘッドホン１００全体を支持するものである。ヘッドバンド１１０はプラスチックなどの合成樹脂、金属などを用いて構成されており、所定の剛性および弾性を有することにより可撓性を備えている。これにより、装着時にはハウジング１５０およびイヤパッド１６０をユーザの側頭部方向に押圧してヘッドホン１００の装着状態を維持することができる。なお、ヘッドバンド１１０の内面におけるユーザの頭頂部に当接する部分に緩衝材としてゴムなどを設けるようにしてもよい。
【００１２】
回転軸１２０は、ヘッドバンド１１０の両端にそれぞれ設けられており、アーム１３０をヘッドバンド１１０に対して回動可能に接続するものである。回転軸１２０は、斜め方向に所定の角度を有するように設けられている。回転軸１２０の詳細な構成については後述する。第１の実施の形態においては、Ｌ側の回転軸１２０とＲ側の回転軸１２０は左右対称の位置に設けられている。
【００１３】
アーム１３０は、ユーザの側頭部に沿うように若干湾曲した形状に形成されている。アーム１３０は、回転軸１２０を介して、ヘッドバンド１１０の両端にそれぞれ回動可能に接続されている。アーム１３０は、回転軸１２０を軸として回動することにより、図２Ａに示されるように折り畳むことが可能となっている。アーム１３０は例えば、プラスチックなどの合成樹脂、金属などを用いて構成されている。なお、以下、図１Ａに示されるようにアーム１３０が折り畳まれておらず、ユーザがヘッドホン１００を使用することができる状態を使用状態と称する。
【００１４】
スライダ１４０は、アーム１３０の内側面に沿って上下方向にスライド可能に設けられている。スライダ１４０は、ハウジング１５０を支持しており、ユーザはスライダ１４０をアーム１３０に沿ってスライドさせることにより、ハウジング１５０を上下方向に移動させることができる。アーム１３０とスライダ１４０は、特許請求の範囲におけるハウジング支持部に相当するものである。
【００１５】
ヘッドホン１００の装着時には、ユーザの頭部の大きさや耳と頭頂部との距離などに合わせてスライダ１４０の位置を調整することにより、ハウジング１５０およびイヤパッド１６０をユーザの耳に対向する位置に合わせる事ができる。これにより、ユーザは自らの身体的特徴や好みに応じた装着感を得ることができる。また、ヘッドホン１００を使用しない場合には、スライダ１４０をスライド可能範囲の上端である折り畳み用位置までスライドさせることにより、ヘッドホン１００をコンパクトな状態にすることができる。この点については後述する。
【００１６】
スライダ１４０にはヘッドホン１００の内側方向にむけてハウジング１５０が接続されている。ハウジング１５０はスライダ１４０によってツイスト動作可能に支持されている。これにより、ヘッドホン１００の装着時においては、ユーザの耳の周囲の形状に合わせてハウジング１５０の向きが変わるため、ハウジング１５０をユーザの側頭部の形状に適した状態で耳に対向させることができる。スライダ１４０とハウジング１５０の接続の詳細については後述する。
【００１７】
ハウジング１５０は、内部に音声処理回路、スピーカ（共に図示せず。）などを収容する収容部でとして機能するものである。ハウジング１５０は例えば、プラスチックなどの合成樹脂を用いて形成されている。音声処理回路は例えば、スピーカを駆動する音声信号に対して、ノイズキャンセリング処理、信号増幅処理、イコライジング処理などの所定の音声信号処理を施すものである。スピーカは音声処理回路により処理が施された音声信号を音声として出力するものである。
【００１８】
イヤパッド１６０は、弾力性を有するように構成されており、ハウジング１５０におけるユーザの側頭部に対向する側の面に設けられている。イヤパッド１６０は、ハウジング１５０とユーザの側頭部との間に介在することにより、ハウジング１５０とユーザの側頭部間の緩衝部材として機能するものである。すなわち、イヤパッド１６０は、ヘッドホン１００の装着時において、変形しにくい硬い素材で形成されたハウジング１５０が直接ユーザの側頭部に接してユーザに不快感や痛みを与えることを防止するものである。
【００１９】
また、イヤパッド１６０は、リング状に構成されている場合には、イヤパッド１６０とユーザの側頭部により形成される空間を密閉することにより、低音域の再現性の向上などの音質の向上を図る役割も担う。また、スピーカから出力される音声が外部に漏れることを防ぐ役割も担う。さらに、イヤパッド１６０は外部からの騒音を遮断してスピーカからの音声を聴取し易くする働きも担う。
【００２０】
コード１７０は、内部に導線、グランド線などが挿通してあり、音声信号を伝送するためのものである。コード１７０の一端はハウジング１５０内に収容された音声処理回路に接続されている。また、コード１７０の他端にはプラグ（図示せず。）が設けられている。そのプラグがＭＰ３（MPEG Audio Layer-3）プレーヤなどの音声再生装置（図示せず。）に接続されることにより、ヘッドホン１００が音声再生装置に接続される。図１および図２においては、Ｌ側のハウジング１５０、Ｒ側のハウジング１５０のそれぞれにコード１７０が接続されている。なお、図２Ｂからわかるように、ヘッドホン１００が折り畳まれた状態においては、Ｌ側のハウジング１５０とＲ側のハウジング１５０は接近している。よって、コード１７０は、ヘッドホン１００を折り畳んだ状態において、Ｌ側のコード１７０とＲ側のコード１７０の接続部分が接触しない位置に接続するのが望ましい。
【００２１】
なお、コード１７０は、Ｌ側のハウジング１５０、Ｒ側のハウジング１５０のいずれか一方に接続するようにしてもよい。この場合、コード１７０は内部に、Ｌチャンネル導線、Ｒチャンネル導線およびグランド線が挿通される。コード１７０が接続されてない他方のハウジング１５０内のスピーカを駆動するために、コード１７０が接続された一方のハウジング１５０と、コード１７０が接続されていない他方のハウジング１５０との間には、接続コード（図示せず）が設けられる。この接続コードは、コード１７０またはコード１７０が接続されたハウジング１５０内の音声処理回路に接続され、スライダ１４０、アーム１３０、ヘッドバンド１１０の内部を挿通して他方のハウジング１５０内の音声処理回路に接続される。この接続コードによって、コード１７０が接続されていない他方のハウジング１５０内の音声処理回路に音声信号が伝送される。
【００２２】
第１の実施形態に係るヘッドホン１００は、使用しない場合には、まず、図１Ｂに示されるように、Ｌ側Ｒ側のうち一方のスライダ１４０をアーム１３０に沿ってスライド可能範囲の上端までスライドさせる。次に図２Ａに示されるように、スライダ１４０をスライド可能範囲の上端までスライドさせた側のアーム１３０をヘッドバンド１１０方向に向けて回動させて折り畳む。
【００２３】
この工程をもう一方のスライダ１４０およびアーム１３０についても行う。なお、一方のスライダ１４０をスライドさせてアーム１３０を折りたたんだ後、もう一方スライダ１４０をスライドさせるアーム１３０を折り畳むのではなく、両方のスライダ１４０をスライドさせてから両方のアーム１３０を折り畳むようにしてもよい。
【００２４】
Ｌ側のアーム１３０およびＲ側のアーム１３０を折り畳むとヘッドホン１００は図２Ｂに示される折り畳み状態となる。以下、このＬ側のアーム１３０およびＲ側のアーム１３０が折り畳まれた状態を、折り畳み状態と称する。
【００２５】
ハウジング１５０は、使用状態においてＬ側Ｒ側のハウジング１５０から等距離にある面Ｉの方向に向いている状態（図１Ａの状態）から、アーム１３０の回動によって、面Ｉに対して略垂直な状態（図２Ｂの状態）に向きが変化する。これはハウジング１５０に設けられているイヤパッド１６０についても同様である。ヘッドホン１００を使用しない場合、持ち運ぶ場合などには、ヘッドホン１００をこの折り畳み状態にすることによりサイズを小さくして、ヘッドホン１００の収納スペースを節約することができる。
【００２６】
次に、回転軸１２０の構成について説明する。上述したように、回転軸１２０は、Ｌ側Ｒ側のハウジング１５０から等距離にある面Ｉに対して斜めの傾きを有するように構成されている。回転軸１２０は、例えば図３に示されるように、ヘッドバンド１１０の一端に設けられた軸挿通穴１１１と、アーム１３０の上端に設けられた軸挿通穴１３１の両方に挿通するように設けられる。これにより、ヘッドバンド１１０に対して、アーム１３０が回動可能となる。
【００２７】
図４は、回転軸１２０の最適な位置および傾きを決定する方法について説明するための図である。なお、図４に示されるヘッドホン１は簡略図であり、一本の湾曲状のバンド２と、そのバンド２の両端にハウジング３が設けられている状態を想定する。
【００２８】
まず、ヘッドホン１の折り畳み状態における最適なハウジング３の位置を決定する。この位置は例えば、折り畳み状態においてヘッドホン１が最も小さくなる位置とするとよい。そうすると、図４Ａに示されるように、ハウジング３の位置およびバンド２の長さによりバンド２の折り曲げ位置Ａが決定される。
【００２９】
次に、図４Ｂに示されるように、ハウジング１および／またはバンド２上に任意の２点を設定する。図４Ｂの例においては、バンド２上に点Ｂ、ハウジング３上に点Ｃがそれぞれ設定されている。なお、点Ｂおよび点Ｃは、ヘッドホン１の使用状態において折り畳み位置である点Ａより下に設定するものとする。
【００３０】
次に、図４Ｃに示されるように決定された折り畳み位置Ａでバンド２を折り、点Ｂ、点Ｃの折り畳みによる移動先をそれぞれ点Ｂ‘、点Ｃ’とする。
【００３１】
そして、図４Ｄに示されるように、点Ｂと点Ｂ‘間において、点Ｂおよび点Ｂ’から等距離にある面Ｍｂを設定する。面Ｍｂは、２点Ｂ、Ｂ‘のそれぞれから等距離にある点の集合であるともいえる。同様に、点Ｃと点Ｃ‘間において、点Ｃおよび点Ｃ’から等距離にある面Ｍｃを設定する。面Ｍｃは、２点Ｃ、Ｃ‘のそれぞれから等距離にある点の集合であるともいえる。
【００３２】
そして、図４Ｅに示されるように、面Ｍｂと面Ｍｃとが交わる直線Ｌが回転軸１２０の方向となる。このようにして回転軸１２０の傾きが決定される。このようにして、回転軸の最適な位置と傾きが決定される。
【００３３】
本実施の形態においては、図１および図２を参照して説明したように、ヘッドバンド１１０とアーム１３０が回転軸１２０を介して接続され、アーム１３０が回動することにより、アーム１３０が折り畳まれるように構成されている。よって、図４に示されるようにして求められた折り畳み位置Ｃを回転軸１２０の位置としてヘッドバンド１１０とアーム１３０を接続するとよい。
【００３４】
回転軸１２０が斜め方向に傾きを有するように構成されていることにより、回転軸１２０を軸とした一回の回転によって、アーム１３０の折り畳みおよびハウジング１５０の向きの変更を実現することができる。ハウジング１５０は、一回のアーム１３０の回動によって、使用状態の左右のハウジング１５０から等距離にある面Ｉに向いている状態から向きが変化する。従来のヘッドホンはヘッドホンを折り畳む動作を一回行い、さらにハウジングの向きを変える動作を一回行うなど、２回以上の動作が必要であったが、本技術においては、一回のアームの回動で、ヘッドホン１００の折り畳みおよびハウジング１５０の向きの変化を実現することができる。
【００３５】
なお、図５Ａに示されるように、回転軸１２０は、ヘッドホン１００の正面視において、ヘッドバンド１１０の弧を二等分するＹ軸に直交するＸ軸に対して約１２°〜２２°の範囲内の角度を有するように設けるとよい。さらに好ましくは、回転軸１２０は、正面視においてＸ軸に対して約１７°の角度を有するように設けるとよい。
【００３６】
また、図５Ｂに示されるように、回転軸１２０は、ヘッドホン１００の側面視においては、ヘッドバンド１１０の幅方向に略平行なＺ軸に対して約１９°〜２９°の範囲内の角度を有するように設けるとよい。さらに好ましくは、回転軸１２０は、側面視においてＺ軸に対して約２４°の角度を有するように設けるとよい。
【００３７】
さらに、図５Ｃに示されるように、回転軸１２０は、ヘッドホン１００の上面視においては、ヘッドバンド１１０の長手方向に略平行なＸ軸に対して約２９°〜３９°の範囲内の角度を有するように設けるとよい。さらに好ましくは、回転軸１２０は、上面視においてＸ軸に対して約３４°の角度を有するように設けるとよい。
【００３８】
次に、アーム１３０とスライダ１４０の構成について説明する。図６Ａは、スライダ１４０、ハウジング１５０、イヤパッド１６０の上面図である。図６Ｂは、スライダ１４０、ハウジング１５０、イヤパッド１６０の側面図である。図６Ｃは、アーム１３０の内面図である。図６Ｄは、アーム１３０の側面視断面図である。図６Ｅは、アーム１３０にスライダ１４０を接続した状態におけるアーム１３０の側面視断面図である。
【００３９】
図６Ａおよび図６Ｂに示されるように、スライダ１４０には、アーム１３０の内部に掛合するための上面視Ｔ字型の掛合突起１４１が設けられている。
【００４０】
図６Ｃに示されるように、アーム１３０の内側面には、掛合突起１４１がアーム１３０内部に入り込んだ状態でスライダ１４０がアーム１３０に沿ってスライド可能とするための案内溝１３２が設けられている。また、図６Ｄに示されるように、アーム１３０の内部は、スライダ１４０の掛合突起１４１がスライド可能なように空洞状に形成されている。
【００４１】
アーム１３０の内部側面には、スライダ１４０の掛合突起１４１が引っかかることにより、ハウジング１５０の位置を固定可能とする複数の使用時用突起１３３が設けられている。この使用時突起が設けられている範囲は、ヘッドホン１００の使用時にユーザがハウジング１５０の位置を調整するためにスライダ１４０をスライドさせる範囲である。よって、この範囲を使用範囲と称する。使用時用突起１３３は特許請求の範囲における第１の位置固定機構に相当するものである。ユーザの頭部の大きさや耳と頭頂部との距離などに合わせてスライダ１４０の位置を調整し固定することにより、ハウジング１５０およびイヤパッド１６０をユーザの耳に対向する位置に合わせる事ができる。これにより、ユーザは自らの身体的特徴や好みに応じた装着感を得ることができる。
【００４２】
なお、図６Ｄにおいては、使用時用突起１３３は１１個設けられているが、使用時用突起１３３の数はそれに限定されるものではない。使用時用突起１３３の数が多いほどユーザは細かくハウジングの位置を調整することが可能となる。
【００４３】
さらに、アーム１３０の内部側面の上方には、ヘッドホン１００の折り畳み時にハウジング１５０の位置を固定することができる、一つの折り畳み時用突起１３４が設けられている。折り畳み時用突起１３４が設けられている位置は、アーム１３０を折り畳む際にハウジング１５０を位置させる位置であるため、この位置を折り畳み位置と称する。折り畳み時用突起１３４は特許請求の範囲における第２の位置固定機構に相当するものである。
【００４４】
使用範囲と折り畳み時位置との間には突起が設けられていない範囲がある。この範囲においては、突起は設けられていないため、スライダ１４０はなめらかにスライドすることができる。この範囲を滑動範囲と称する。
【００４５】
図６Ｅに示されるように、スライダ１４０の掛合突起１４１がアーム１３０内部に入り込んだ状態でスライダ１４０はアーム１３０に沿って上下にスライド可能となっている。ヘッドホン１００の使用時において、ユーザがハウジング１５０の位置を調整する場合、ユーザは使用範囲内でスライドを上または下にスライドさせる。
【００４６】
そうすると、スライダ１４０の掛合突起１４１が使用時用突起１３３に引っかかることによって、スライダ１４０の位置が固定される。これにより、ハウジング１５０の位置をユーザの好みに合わせて固定することができる。スライダ１４０の掛合突起１４１が使用時用突起１３３を乗り上げる際のクリック感がユーザにハウジング１５０の位置が調節されていることの実感を与えることができる。
【００４７】
ヘッドホン１００を使用せず折り畳む場合、スライダ１４０を滑動範囲を経て折り畳み位置までスライドさせる。そうすると、スライダ１４０の掛合突起１４１が折り畳み時用突起１３４に引っかかり、スライダ１４０を折り畳み位置に固定することができる。
【００４８】
使用範囲と折り畳み位置との間の滑動範囲には突起が設けられていない。このため、滑動範囲においては、ユーザは、スライダ１４０をなめらかにスライドさせることができる。滑動範囲は、使用時にハウジング１５０の位置を固定する範囲でもなく、収納時にハウジング１５０が位置する範囲でもないため、この滑動範囲に突起を設ける必要はない。滑動範囲に突起を設けないことにより、ユーザは、スライダ１４０のスライドを容易に素早く行うことができるので、ヘッドホン１００を折り畳みも素早く行うことができる。
【００４９】
このように、本技術においては、スライダ１４０のスライド可能範囲はヘッドホン１００使用時のハウジング１５０の位置の変更範囲より大きく構成されている。これにより、ヘッドホン１００収納時には、ハウジング１５０をアーム１３０の上端までスライドさせることができ、ヘッドホン１００をよりコンパクトにすることができる。
【００５０】
次に、スライダ１４０とハウジング１５０の接続について説明する。図７Ａはハウジング１５０のイヤパッド１６０が設けられる側とは逆側の面を示した図である。図７Ｂは、アーム１３０、スライダ１４０、ハウジング１５０およびイヤパッド１６０の側面図である。図７Ｃは、スライダ１４０とハウジング１５０とを接続させた状態を示す側面図である。図７Ｄは、スライダ１４０とハウジング１５０とを接続させた状態で、ハウジング１５０を動作させている状態を示す側面図である。なお、図７Ｂ、図７Ｃおよび図７Ｄにおいては、ハウジング１５０とイヤパッド１６０は断面図として表されている。
【００５１】
ハウジング１５０のイヤパッド１６０が設けられる側とは逆側の面の略中央には、縦長状の凹み部１５１が形成されている。その凹み部１５１の略中央には、図７Ｂに示されるように側面視凸球状の凸球面１５２が設けられている。さらに凸球面１５２の略中央には接続用穴１５３が設けられている。
【００５２】
図７Ｂに示されるように、スライダ１４０には、突起状のハウジング接続部１４２が設けられている。ハウジング接続部１４２の先端には正面視凹球状の凹球面１４３が形成されている。ハウジング接続部１４２は、ハウジング１５０を傾動可能に支持するものである。
【００５３】
スライダ１４０の凹球面１４３と、ハウジング１５０の凸球面１５２を衝合させた状態で、ハウジング１５０の接続用穴１５３にネジなどを通して、スライダ１４０とハウジング１５０とを接続する。そうすると、図７Ｄに示されるように、ハウジング１５０の凸球面１５２がスライダ１４０の凹球面１４３に対して摺動可能となる。これにより、ユーザがヘッドホン１００を装着した際にハウジング１５０がユーザの側頭部、耳の形状に合わせて動くため、イヤパッド１６０を各ユーザに合った状態で対向させることができる。
【００５４】
図８は、アーム１３０、スライダ１４０ハウジング１５０およびイヤパッド１６０の下面図である。図８Ａに示されるようにハウジング１５０に形成されている凹み部１５１は、スライダ１４０のハウジング接続部１４２よりも幅広に形成されている。よって、図８Ｂに示されるようにスライダ１４０とハウジング１５０とを接続すると、図８Ｃに示されるように、ハウジング１５０は左右方向に傾動可能となる。
【００５５】
ハウジング１５０は、図７を参照して説明したように、縦方向に傾動可能となっている。また、ハウジング１５０は図８を参照して説明したように、横方向にも傾動可能となっている。さらに、ハウジング１５０とスライダ１４０の接触部分は、ハウジング１５０の凸球面１５２とスライダ１４０の凹球面１４３である。これらにより、ハウジング１５０は全方向にツイスト動作が可能となっている。よって、ハウジング１５０およびイヤパッド１６０の追従性が増し、イヤパッド１６０をユーザの耳に対向する位置に合わせる事ができ、ユーザは自らの身体的特徴や好みに応じた装着感を得ることができる。
【００５６】
以上のようにして、第１の実施形態におけるヘッドホン１００が構成されている。ここで、図９Ａに示されるように、使用状態におけるヘッドバンド１１０とアーム１３０によって囲まれる領域（斜線の領域）を定義する。本実施の形態におけるヘッドホン１００は、図９Ｂに示されるように、折り畳み状態においてその斜線領域内にハウジング１５０が収まるようになっている。このように、本実施の形態のヘッドホン１００は、使用しない場合には折り畳んでコンパクトな状態にすることができる。この状態において、Ｌ側のアーム１３０とＲ側のアーム１３０は使用状態においてハウジングが位置していた位置で重なっている。
【００５７】
また、図１０に示されるように、折り畳み状態においては、ハウジング１５０がヘッドホン１００の側面視においてヘッドバンド１１０と略並行な平面ＩＩに対して±４５°以内の傾きの状態となるようにするとよい。
【００５８】
また、本実施の形態においては、一つの回転軸１２０を軸としたアーム１３０の一回の回動でアーム１３０の折り畳みおよびハウジング１５０の向きの切り替えを行なうことができるので、ユーザはヘッドホン１００の折り畳みを素早く容易に行うことができる。また、回転軸１２０は一対のみであるため、部品点数を少なくてすみ、製造コストの削減も図ることができる。
【００５９】
また、スライダ１４０は、ヘッドホン１００使用時におけるハウジング１５０の位置変更範囲である使用範囲より大きくスライド可能である。これにより、折り畳み時にスライダ１４０を使用範囲より上へスライドさせることにより、ヘッドホン１００をよりコンパクトな状態にすることができる。
【００６０】
また、アーム１３０を折り畳む際にスライダ１４０をスライドさせてハウジング１５０をアーム１３０の上端側（ヘッドホン１００の縦方向中央付近）に位置させる。これにより、図２Ｂに示されるように折り畳み状態においてはハウジング１５０が横並びになる。ハウジング１５０が重なることがないため、折り畳み状態におけるヘッドホン１００をより薄い状態にすることができる。
【００６１】
また、折り畳み状態においてはハウジング１５０が交差せず、Ｌ側のハウジング１５０はヘッドホン１００の左側に位置する。Ｒ側のハウジング１５０はヘッドホン１００の右側に位置する。ハウジング１５０が交差し、Ｌ側のハウジング１５０がヘッドホン１００の右側に位置し、Ｒ側のハウジング１５０がヘッドホン１００の左側に位置するということがない。これにより、ハウジング１５０に接続されているコード１７０が絡まることを抑制することができる。
【００６２】
さらに、ヘッドホン１００の折り畳み状態においては、図２Ｂに示されるようにイヤパッド１６０が同方向を向いている。ヘッドホン１００を机、テーブルなどに置く際にイヤパッド１６０側を下にして置くことにより、ハウジング１５０に傷がつくことなどを防止することができる。
【００６３】
＜２．第２の実施の形態＞
［２−１．ヘッドホンの構成］
次に、本技術の第２の実施の形態について説明する。図１１および図１２は第２の実施の形態におけるヘッドホン２００の全体構成を示す図である。ヘッドホン２００は、ヘッドバンド２１０、回転軸２２０、ハンガ２３０、ハウジング２４０、イヤパッド２５０およびコード２６０から構成されている。
【００６４】
ヘッドバンド２１０はユーザの頭部に沿うように湾曲状に形成されており、装着状態においてユーザの頭頂部に接することによりヘッドホン２００全体を支持するものである。ヘッドバンド２１０はプラスチックなどの合成樹脂、金属などを用いて構成されており、所定の剛性および弾性を有することにより可撓性を備えている。これにより、装着時にはハウジング２４０およびイヤパッド２５０をユーザの側頭部方向に押圧してヘッドホン２００の装着状態を維持することができる。なお、ヘッドバンド２１０の内面におけるユーザの頭頂部に当接する部分に緩衝材としてゴムなどを設けるようにしてもよい。
【００６５】
第２の実施の形態においては、ヘッドバンド２１０の両端はスライダ２１１として構成されている。スライダ２１１をスライドさせることにより、ヘッドバンド２１０を伸縮させることができる。スライダ２１１をスライドさせることにより、ハンガ２３０をヘッドバンド２１０に対して下方または上方に移動させることができる。
【００６６】
ヘッドホン２００の使用時には、ユーザの頭部の大きさや耳と頭頂部との距離などに合わせてスライダ２１１の伸縮度合いを調整することにより、ハウジング２４０およびイヤパッド２５０をユーザの耳に対向する位置に合わせる事ができる。これにより、ユーザは自らの身体的特徴や好みに応じた装着感を得ることができる。一方、ヘッドホン２００を使用しない場合には、スライダ２１１を縮めた状態にすることにより、ヘッドホン２００をコンパクトにして保管スペースを節約することができる。
【００６７】
回転軸２２０は、ヘッドバンド２１０のスライダ２１１の両端にそれぞれ設けられており、ハンガ２３０をスライダ２１１に対して回動可能に支持するものである。回転軸２２０は、第１の実施の形態と同様に、左右のハウジング２４０から等距離にある面Ｉに対して斜めの傾きを有するように構成されている。第２の実施の形態においては、Ｌ側の回転軸２２０とＲ側の回転軸２２０は左右対称の位置に設けられている。回転軸２２０の構成については後述する。
【００６８】
ハンガ２３０はヘッドバンド２１０のスライダ２１１の先端に設けられており、ハウジング２４０を回動自在に支持するものである。ハンガ２３０は、一対の先端からそれぞれ内向きに突出する支持ピン（図示せず。）で軸支することによりハウジング２４０を回動自在に支持する。これにより、ヘッドホン２００の装着時においては、ユーザの耳の周囲の形状に合わせてハウジング２４０の向きが変わるため、ハウジング２４０５をユーザの側頭部の形状に適した状態で耳に対向させることができる。ハンガ２３０は、特許請求の範囲におけるハウジング２４０支持部に相当するものである。
【００６９】
ハウジング２４０は、内部に音声処理回路、スピーカ（共に図示せず。）などを収容する収容部でとして機能するものである。ハウジング２４０は例えば、プラスチックなどの合成樹脂を用いて形成されている。音声処理回路は例えば、スピーカを駆動する音声信号に対して、ノイズキャンセリング処理、信号増幅処理、イコライジング処理などの所定の音声信号処理を施すものである。スピーカは音声処理回路により処理が施された音声信号を音声として出力するものである。
【００７０】
イヤパッド２５０は、弾力性を有するように構成されており、ハウジング２４０におけるユーザの側頭部に対向する側の面に設けられている。イヤパッド２５０は、ハウジング２４０とユーザの側頭部との間に介在することにより、ハウジング２４０とユーザの側頭部間の緩衝部材として機能するものである。すなわち、イヤパッド２５０は、ヘッドホン２００の装着時において、変形しにくい硬い素材で形成されたハウジング２４０が直接ユーザの側頭部に接してユーザに不快感や痛みを与えることを防止するものである。
【００７１】
また、イヤパッド２５０は、リング状に構成されている場合には、イヤパッド２５０とユーザの側頭部により形成される空間を密閉することにより、低音域の再現性の向上などの音質の向上を図る役割も担う。また、スピーカから出力される音声が外部に漏れることを防ぐ役割も担う。さらに、イヤパッド２５０は外部からの騒音を遮断してスピーカからの音声を聴取し易くする働きも担う。
【００７２】
コード２６０は、内部に導線、グランド線などが挿通しており、音声信号を伝送するためのものである。コード２６０の一端はハウジング２４０内に収容された音声処理回路に接続されている。また、コード２６０の他端にはプラグ（図示せず。）が設けられている。そのプラグがＭＰ３プレーヤなどの音声再生装置（図示せず。）に接続されることにより、ヘッドホン２００１が音声再生装置に接続される。
【００７３】
なお、コード２６０はＬ側のハウジング２４０、Ｒ側のハウジング２４０のいずれか一方に接続するようにしてもよい。この場合、コード２６０は内部に、Ｌチャンネル導線、Ｒチャンネル導線およびグランド線が挿通してある。コード２６０が接続されてない他方のハウジング２４０内のスピーカを駆動するために、コード２６０が接続された一方のハウジング２４０と、コード２６０が接続されていない他方のハウジング２４０との間には、接続コード（図示せず）が設けられる。この接続コードは、コード２６０またはコード２６０が接続されたハウジング２４０内の音声処理回路に接続され、スライダ２１１、アーム、ヘッドバンド２１０の内部を挿通して他方のハウジング２４０内の音声処理回路に接続される。この接続コードによって、コード２６０が接続されていない他方のハウジング２４０内の音声処理回路に音声信号が伝送される。
【００７４】
第２の実施形態におけるヘッドホン２００は、使用しない場合には、図１２Ａに示されるように、ハンガ２３０をヘッドバンド２１０方向に向けて折り畳む。そうすると、ヘッドホン２００は図１２Ｂに示される折り畳み状態となる。以下、この状態を、折り畳み状態と称する。折り畳み状態においては、ハウジング２４０は、左右のハウジング２４０から等距離にある面Ｉに向いている状態（図１１の状態）から、面Ｉに対して略垂直方向を向く状態（図１２Ｂの状態）に変化する。これはハウジング２４０に設けられているイヤパッド２５０についても同様である。ヘッドホン２００を使用しない場合、持ち運ぶ場合などには、ヘッドホン２００をこの折り畳み状態にすることによりサイズを小さくして、ヘッドホン２００の収納スペースを節約することができる。
【００７５】
次に、ヘッドバンド２１０のスライダ２１１とハンガ２３０の接続について説明する。図１４Ａおよび図１４Ｂは、図１５に示される、スライダ２１１とハンガ２３０の接続部分をヘッドホン２００の内側から見た場合の部分拡大図である。スライダ２１１の先端におけるハンガ２３０との接続部分をスライダ側接続部２１２とする。また、ハンガ２３０の頂点付近に設けられているスライダ側接続部２１２との接続部分をハンガ側接続部２３１とする。なお、説明の便宜上、ハンガ側接続部２３１は破断した状態で示されている。
【００７６】
回転軸２２０は、第１の実施の形態と同様に、図１１に示されるように左右のハウジング２４０から等距離にある面Ｉに対して斜めの傾きを有するように構成されている。回転軸２２０は、ハンガ側接続部２３１に設けられた軸挿通穴２３３に挿通した状態でスライダ側接続部２１２に両端を支持されている。これにより、スライダ２１１に対してハンガ２３０が回動可能となっている。なお、回転軸２２０の位置および傾きの決定方法は第１の実施の形態において図４を参照して説明したものと同様である。
【００７７】
なお、図１３Ａに示されるように、回転軸２２０は、ヘッドホン２００の正面視において、ヘッドバンド２１０の弧を二等分するＹ軸に直交するＸ軸に対して約４°〜１４°の範囲内の角度を有するように設けるとよい。さらに好ましくは、回転軸２２０は、正面視においてＸ軸に対して約９°の角度を有するように設けるとよい。
【００７８】
また、図１３Ｂに示されるように、回転軸２２０は、ヘッドホン２００の側面視においては、ヘッドバンド２１０の幅方向に略平行なＺ軸に対して約９°〜１９°の範囲内の角度を有するように設けるとよい。さらに好ましくは、回転軸２２０は、側面視においてＺ軸に対して約１４°の角度を有するように設けるとよい。
【００７９】
さらに、図１３Ｃに示されるように、回転軸２２０は、ヘッドホン２００の上面視においては、ヘッドバンド２１０の長手方向に略平行なＸ軸に対して約２７°〜３７°の範囲内の角度を有するように設けるとよい。さらに好ましくは、回転軸２２０は、上面視においてＸ軸に対して約３２°の角度を有するように設けるとよい。
【００８０】
図１４Ａは、ハンガ２３０が回動途中であり、まだ折り畳まれてはいない状態である。図１４Ｂは、ハンガ２３０が折り畳まれた状態である。スライダ側接続部２１２には、突起状の第１クリック２１３、第２クリック２１４が設けられている。ハンガ２３０を回動させて折り畳み状態にすると、図１４Ａに示す状態から図１４Ｂに示す状態になる。
【００８１】
そうすると、図１４Ｂに示されるように、第１クリック２１３にハンガ側接続部２３１が引っかかる。さらに、第２クリック２１４上にハンガ側接続部２３１が乗り上げている。これにより、ハンガ２３０の支持されることとなり、折り畳み状態においてハンガ２３０が自重で開いてしまうことがない。
【００８２】
次に、折り畳み状態から使用状態への遷移について説明する。図１６、図１７Ａ、図１７Ｂおよび図１７Ｃは、図１８に示される、スライダ２１１とハンガ２３０の接続部分を下から見た状態の部分拡大図である。なお、図１８においては、ハンガ２３０は折り畳まれている状態である。
【００８３】
図１６は、ハンガ２３０が折り畳まれている状態を示す図である。スライダ側接続部２１２には突起状の第３クリック２１５が設けられている。一方、ハンガ側接続部２３１には、凹状に形成された凹状部２３２が形成されている。
【００８４】
図１７は、折り畳み状態からハウジング２４０が開いて使用状態になる過程を示した図である。図１７Ａに示される状態から図１７Ｂの状態を経て、使用状態に至ると、図１７Ｃに示されるようにスライダ側接続部２１２の第３クリック２１５がハンガ側接続部２３１の凹状部２３２に入り込み、引っかかった状態となる。これにより、ハンガ２３０の状態が固定されるので、ヘッドホン２００の使用中にハンガ２３０が不必要に動いてしまうことを防止することができる。なお、第３クリック２１５がハンガ側接続部２３１の凹状部２３２に入り込む際のクリック感がユーザにハンガ２３０が開き切ったことの実感を与えることができる。
【００８５】
使用状態から折り畳み状態に移る場合には、図１７Ｂに示されるように、ハンガ側接続部２３１の凹状部２３２が第３クリック２１５を乗り上げて、ハンガ２３０が折り畳み状態となる。なお、ハンガ側接続部２３１が第３クリック２１５を乗り越える際のクリック感がユーザにハンガ２３０が開き切った状態から解除されたことの実感を与えることができる。
【００８６】
次に、ハウジング２４０をツイスト動作可能とする構成について説明する。図１９Ａは、ハンガ側接続部２３１とそのハンガ側接続部２３１の軸挿通穴２３３に挿通した回転軸２２０を示す図である。図１９Ｂは、ハンガ側接続部２３１の軸挿通穴２３３と軸の断面図である。なお、ハンガ２３０とスライダ２１１の接続状態において、回転軸２２０はハンガ側接続部２３１の軸挿通穴２３３を挿通し、スライダ側接続部２１２に接続されているが、図１９においては、説明の便宜上スライダ２１１は省略する。
【００８７】
図１９Ｂに示されるように、ハンガ側接続部２３１の軸挿通穴２３３は、一方の開口側の直径が大きく形成されている。これにより、軸挿通穴２３３にはガタ２３４が形成されている。このガタ２３４により、ハンガ２３０は回転軸２２０に対してツイスト動作が可能となる。これによりハンガ２３０に接続されているハウジング２４０もツイスト動作することとなり、ハウジング２４０およびイヤパッド２５０の追従性が増し、イヤパッド２５０をユーザの耳に対向する位置に合わせる事ができ、ユーザは自らの身体的特徴や好みに応じた装着感を得ることができる。
【００８８】
以上のようにして第２の実施の形態に係るヘッドホン２００が構成されている。第１の実施の形態は、折り畳みのための回動の支点となる回転軸１２０がスライダ１４０より上方に設けられているが、第２の実施の形態は、回転軸２２０はスライダ２１１より下方に設けられている。どちらの構成であっても、折り畳みが容易であり、折り畳み後の状態がコンパクトであるヘッドホン２００を実現することができる。
【００８９】
ここで、図２０Ａに示されるように、使用状態におけるヘッドホン２００の内部の領域に（斜線の領域）を定義する。本実施の形態におけるヘッドホン２００は、図２０Ｂに示されるように、折り畳み状態においてその斜線領域内にハウジング２４０が収まるようになっている。このように、本実施の形態のヘッドホン２００は、使用しない場合には折り畳んでコンパクトな状態にすることができる。
【００９０】
また、第２の実施の形態のヘッドホン２００も第１の実施の形態と同様に、折り畳み状態において、ハウジング２４０が、ヘッドホン２００の側面視においてヘッドバンド２１０と略並行な平面ＩＩに対して±４５°以内の傾きの状態となるようにするとよい。
【００９１】
また、第２の実施の形態では、一つの回転軸２２０を軸としたハンガ２３０の一回の回動でヘッドホン２００を折り畳むことができるので、ユーザはヘッドホン２００の折り畳みを素早く容易に行うことができる。
【００９２】
また、図１２Ｂに示されるように折り畳み状態においてはハウジング２４０が横並びになる。ハウジング２４０が重なることがないため、折り畳み状態におけるヘッドホン２００をより薄い状態にすることができる。
【００９３】
また、折り畳み状態においてハウジング２４０が交差せず、Ｌ側のハウジング２４０はヘッドホン２００の左側に位置する。Ｒ側のハウジング２４０はヘッドホン２００の右側に位置する。ハウジングが交差し、Ｌ側のハウジング２４０がヘッドホン２００の右側に位置し、Ｒ側のハウジング２４０がヘッドホン２００の左側に位置するということがない。これにより、ハウジング２４０に接続されているコード２６０が絡まることを抑制することができる。
【００９４】
また、ヘッドホン２００の折り畳み状態においては、図１２Ｂに示されるようにイヤパッド２５０が同方向を向いている。ヘッドホン２００を机、テーブルなどに置く際にイヤパッド２５０側を下にして置くことにより、ハウジング２４０に傷がつくことなどを防止することができる。
【００９５】
＜３．変形例＞
以上、本技術の実施の形態について具体的に説明したが、本技術は上述の実施の形態に限定されるものではなく、本技術の技術的思想に基づく各種の変形が可能である。
【００９６】
図２１は、本技術の第１の実施の形態におけるヘッドホンの変形例を示す外観図である。図２１Ａは使用状態であり、図２１Ｂは折り畳み状態である。
【００９７】
変形例に係るヘッドホン３００は、ヘッドバンド３１０、回転軸３２０、アーム３３０、スライダ３４０、ハウジング３５０、イヤパッド３６０およびコード３７０とから構成されている。各構成は第１の実施の形態と同様であるためその説明を省略する。
【００９８】
上述した第１の実施の形態においては、一対の回転軸１２０の位置はＬ側とＲ側で左右対称となっている。これに対し、変形例の係るヘッドホン３００においては、一対の回転軸３２０の位置がＬ側とＲ側で左右非対称となっている。
【００９９】
アーム３３０の折り畳み位置に位置する回転軸３２０の位置を左右非対称とすることにより、ヘッドホン３００の折り畳み状態は図２１Ｂに示されるようになる。図２１Ｂの折り畳み状態においては、左右の回転軸３２０の位置が左右非対称であることにより、左右でアーム３３０の折り畳み位置がずれている。これにより、折り畳み状態においてアーム３３０が重ならないため、ヘッドホン３００の折り畳み状態をより薄くすることができる。
【０１００】
また、本技術は以下のような構成も取ることができる。
（１）
ヘッドバンドと、
該ヘッドバンドの両端に設けられた一対のハウジング支持部と、
該一対のハウジング支持部をそれぞれ前記ヘッドバンドに対して回動可能に接続する一対の回転軸と、
回動により前記ハウジング支持部が折り畳まれた状態において、前記ハウジング支持部が開いた状態における前記ヘッドバンドおよび前記ハウジング支持部からなる弧の内側の領域内に位置し、かつ、交差することなく横並びになるように前記一対のハウジング支持部のそれぞれに設けられた一対のハウジングと、
該一対のハウジングにそれぞれ設けられた一対のイヤパッドと
を備えるヘッドホン。
（２）
前記回転軸が斜めに設けられていることにより、一回の回動により前記ハウジング支持部が折り畳まれ、さらに折り畳み前後で前記イヤパッドの向きが変化する
前記（１）に記載のヘッドホン。
（３）
前記ハウジング支持部が折り畳まれた状態において、前記一対のイヤパッドが略同一の方向を向いている
前記（１）または（２）に記載のヘッドホン。
（４）
前記ハウジング支持部は、前記回転軸を介して前記ヘッドバンドに接続されたアームと、該アームに対してスライド可能に設けられ、前記アームに沿ってスライドすることにより前記ハウジングの位置を調整可能なスライダとからなる
前記（１）から（３）のいずれかに記載のヘッドホン。
（５）
前記スライダのスライド可能範囲は、ユーザによるヘッドホン使用時における前記ハウジングの位置の変更範囲より広い範囲である
前記（４）に記載のヘッドホン。
（６）
前記ハウジング支持部は、ヘッドホン使用時における前記ハウジングの位置の変更範囲において前記ハウジングの位置の固定する第１の位置固定機構を備える
前記（５）に記載のヘッドホン。
（７）
前記第１の位置固定機構は、前記ハウジングを複数の位置に固定可能である
前記（６）に記載のヘッドホン。
（８）
前記ハウジング支持部は、ヘッドホン使用時における前記ハウジングの位置の変更範囲外において前記ハウジングの位置を固定する第２の位置固定機構を備える
前記（５）に記載のヘッドホン。
（９）
前記スライダは、前記回転軸より下に設けられている
前記（４）に記載のヘッドホン。
（１０）
前記一対の回転軸は、左右対象の位置に設けられている
前記（１）から（９）のいずれかに記載のヘッドホン。
（１１）
前記一対の回転軸は、左右非対称の位置に設けられている
前記（１）から（１０）のいずれかに記載のヘッドホン。
（１２）
前記ハウジングは、ユーザの側頭部の形状に追従して動作可能である
前記（１）から（１１）のいずれかに記載のヘッドホン。
（１３）
前記一対のハウジングには、それぞれコードが接続されており、
該コードは、前記一対のハウジング支持部が折り畳まれた状態において、前記ハウジングと前記コードの接続箇所が互いに接触しない位置にそれぞれ接続されている
前記（１）から（１２）のいずれかに記載のヘッドホン。
（１４）
前記アームは、折り畳まれた状態において、ユーザのヘッドホン使用時においてハウジングが存在している位置で重なる
前記（４）に記載のヘッドホン。
（１５）
前記ハウジング支持部は、前記ハウジングを軸支するハンガである
前記（１）から（１４）のいずれかに記載のヘッドホン。
（１６）
前記ヘッドバンドは、前記ハンガを上下動させるスライダを備え、
該スライダは前記回転軸より上に設けられている
前記（１５）に記載のヘッドホン。
（１７）
前記ハウジングは、前記ハウジング支持部が折り畳まれた状態において、側面視において前記ヘッドバンドに略平行な平面に対して±４５°以内の状態となる
前記（１）から（１６）のいずれかに記載のヘッドホン。
（１８）
前記回転軸は、
正面視において、前記ヘッドバンドの弧を二等分する方向をＹ軸方向とし、該Ｙ軸方向に直交する方向をＸ軸方向としたとき、前記Ｘ軸に対して４°〜２２°の範囲内の角度を有し、
また、側面視において、前記ヘッドバンドの幅方向に略平行な方向をＺ軸方向としたとき、前記Ｚ軸に対して９°〜２９°の範囲内の角度を有し、
さらに、上面視において、前記Ｘ軸に対して２７°〜３９°の範囲内の角度を有するように設けられている
前記（２）に記載のヘッドホン。
（１９）
前記回転軸は、
正面視において前記Ｘ軸に対して１７°の角度を有し、
また、側面視において前記Ｚ軸に対して２４°の角度を有し、
さらに、上面視において前記Ｘ軸に対して３４°の角度を有するように設けられている
前記（１８）に記載のヘッドホン。
（２０）
前記回転軸は、
正面視において前記Ｘ軸に対して９°の角度を有し、
また、側面視において前記Ｚ軸に対して１４°の角度を有し、
さらに、上面視において前記Ｘ軸に対して３２°の角度を有するように設けられている
前記（１８）に記載のヘッドホン。
【符号の説明】
【０１０１】
１００、２００、３００・・・・ヘッドホン
１１０、２１０、３１０・・・・ヘッドバンド
１２０、２２０、３２０・・・・回転軸
１３０、３３０・・・・・・・・アーム
１４０、３４０・・・・・・・・スライダ
１５０、２４０、３５０・・・・ハウジング
１６０、２５０、３６０・・・・イヤパッド
１７０、２６０、３７０・・・・コード
２３０・・・・・・・・・・・・ハンガ
【図１】
2014207979.tif 000003
【図２】
2014207979.tif 000004
【図３】
2014207979.tif 000005
【図４】
2014207979.tif 000006
【図５】
2014207979.tif 000007
【図６】
2014207979.tif 000008
【図７】
2014207979.tif 000009
【図８】
2014207979.tif 000010
【図９】
2014207979.tif 000011
【図１０】
2014207979.tif 000012
【図１１】
2014207979.tif 000013
【図１２】
2014207979.tif 000014
【図１３】
2014207979.tif 000015
【図１５】
2014207979.tif 000016
【図１８】
2014207979.tif 000017
【図２０】
2014207979.tif 000018
【図２１】
2014207979.tif 000019
【図１４】
2014207979.tif 000020
【図１６】
2014207979.tif 000021
【図１７】
2014207979.tif 000022
【図１９】
2014207979.tif 000023
【国際調査報告】
2014207979.tif 000024
2014207979.tif 000025
2014207979.tif 000026
2014207979.tif 000027